(57)【要約】  【課題】  簡単な改良によってエチゼンクラゲ等の巨大クラゲの入網を排除し、魚を有効に捕獲すると共に海流の流れ方向が変化しても有効な定置網を提供すること。  【構成】  海流又は潮流が流れている漁場に設置される定置網において、垣網の上流側から垣網に沿って囲網の端口方向に向かって移動してきた巨大クラゲが該垣網の終端を廻って反対向き、かつ、下流方向に移動するように、前記垣網の終端の回りに、水平断面が略Ｕ字形状で、該略Ｕ字形状の開口部分が前記垣網の終端を囲むように構成したガイド網を設けたことを特徴とする。【選択図】    図１
2009297000.tif 000002
【特許請求の範囲】
【請求項１】
海流又は潮流が流れている漁場に設置される定置網において、垣網の上流側から垣網に沿って囲網の端口方向に向かって移動してきた巨大クラゲが該垣網の終端を廻って反対向き、かつ、下流方向に移動するように、前記垣網の終端の回りに、水平断面が略Ｕ字形状で、該略Ｕ字形状の開口部分が前記垣網の終端を囲むように構成したガイド網を設けたことを特徴とする定置網。
【請求項２】
前記垣網の終端は、前記端口における囲網の両端を結ぶ直線上又は囲網の内側に位置するように設けたことを特徴とする請求項１に記載の定置網。
【請求項３】
前記略Ｕ字形状の湾曲部は半径が１ｍ〜３ｍの円弧、又は、該円弧に外接する折れ線で構成したことを特徴とする請求項１又は請求項２の何れか１に記載の定置網。
【請求項４】
前記囲網の端口が両端口の場合は、海流又は潮流の下流側のガイド網の解放端を、該解放端から下流方向に移動する巨大クラゲが下流側端口から前記囲網内部に入網しないように、前記下流側端口から離れた位置に配置する構成としたことを特徴とする請求項１〜請求項３の何れか１に記載の定置網。
【請求項５】
前記囲網の端口が片端口の場合は、海流又は潮流の下流側のガイド網を前記囲網と連結した構成としたことを特徴とする請求項１〜請求項３の何れか１に記載の定置網。
【請求項６】
海流又は潮流の流れの向きが９０度から１８０度まで変化する場合は、前記囲網の端口は両端口とし、前記ガイド網の解放端側から出て下流方向に移動する巨大クラゲが両端口の何れの端口からも前記囲網内部に入網しないように該ガイド網の各端を各端口から離れた位置に配置する構成としたことを特徴とする請求項１〜請求項３の何れか１に記載の定置網。
【請求項７】
前記垣網の終端を前記両端口における囲網の両端を結ぶ直線よりも岸側に配置して、前記ガイド網を構成したことを特徴とする請求項６に記載の定置網。
【請求項８】
囲網が両端口の場合に、流れの上流側端口から囲網内に入網した巨大クラゲが反対側の端口から出て下流方向に移動するように障子網の自由端を囲網の内部の奥まで配置し、かつ、該障子網が奥に向かって相互に近接するように傾斜させて配置したことを特徴とする請求項６又は請求項７の何れか１に記載の定置網。
【請求項９】
前記ガイド網は前記垣網と同じ網材、同じ網目サイズとしたことを特徴とする請求項１〜請求項８の何れか１に記載の定置網。
【発明の詳細な説明】
【技術分野】
【０００１】
この発明は、エチゼンクラゲ等の巨大クラゲが囲網の端口から進入するのを防止した定置網に関するものである。
【背景技術】
【０００２】
定置網（又は建網ともいう）は漁場に網を敷設し、回遊してきて網に迷い込んだ魚を漁獲する方法であり、日本における漁獲技術の１つとして従来から使用され、現在なおも採用されている漁獲方法である。日本近海には暖流（例えば、黒潮や対馬海流）と寒流（例えば、親潮やリマン海流）が流れている。暖流に乗っていろいろな種類の魚、例えば、鰯、鰺、鯖、鰹、鮪、ブリや鮭等が回遊してくる。一方寒流には小魚の餌となる動物プランクトンが豊富で、暖流と寒流のぶつかる潮境は好魚場となる。日本近海には好漁場が沢山あり、定置網が盛んであった。しかし、近年中国や韓国の沿岸でエチゼンクラゲが大量発生し、成長しながら暖流に乗って日本海を北上し、日本海沿岸の定置網業に大きな被害を与えて、大問題になっている（非特許文献６，７）。
【非特許文献６】島根県水産試験場ＨＰ、エチゼンクラゲについて
【非特許文献７】安田徹編、海のＵＨＯクラゲ、１１６−１２０頁、恒星社厚生閣
【０００３】
定置網の種類や構成及び敷設方法等については多くの文献やホームページ（以下、ＨＰと略記する）に開示されている。例えば、非特許文献１〜４に掲載されている。ここでは、図６に近年の標準的な大型定置網の斜視図の１例を示す。図７（Ａ）は上から見た平面図で、図７（Ｂ）は図（Ａ）の矢印Ｘ−Ｘから見た断面図を示す。図６、図７に示すように、定置網５０は垣網５１、囲網５２、箱網５３、５４等から構成されている。なお、囲網５２の内部には運動場と呼んでいるスペース５２ａと底部が登り網となっているスペース（登り網部）５２ｂとが設けられている。運動場５２ａと垣網５１が交差する部分に設けられた囲網５２の入口を端口５５と呼んでいる。この定置網５０には垣網５１の両側に端口（５５ａ、５５ｂ）が形成されており、両端口と呼ぶ。また、入った魚が逃げないように箱網５４の奥に小船５６が設ける場合もある。
【非特許文献１】野村正恒著、最新漁業技術一般、成山堂書店、１８０〜１９６頁、平成１２年４月出版
【非特許文献２】金田禎之著、日本の漁業と漁法、成山堂書店、７４〜８５頁、平成１７年６月出版
【非特許文献３】鈴木マリーンＨＰ、海の散歩道０３０２、釣師の通らない道Ｖｏｌ．１０、周辺の海の環境−９、定置網−４、定置網のしくみ
【非特許文献４】泉澤水産ＨＰ、定置網
【０００４】
定置網５０の敷設方法や揚網方法については非特許文献２に記載されており、本願発明とは直接に関係していないので説明は省略する。垣網５１の一端（沖側の終端）は囲網５２の入口端又は囲網５２の内部に配置され、垣網５１の他端（岸側端）は海岸近くまで延長して配置される。垣網５１の全長は数十メートルから数百メートルに及ぶケースもある。定置網５０の海中における固定方法は非特許文献１に記載されている。垣網５１の上縁には合成繊維又は鋼製のロープ６１が取り付けられ、該ロープ６１に多数の浮子６２が取り付けられている。浮子６２によって垣網５１の上縁は海面近くに保持される。一方、垣網５１の下縁６３には沈子（図示省略）が取り付けられ海底に固定される。その結果、垣網５１が海中で張られた状態を維持する。また、垣網５１の終端は、例えば、囲網５２の上縁に設けられたロープに結んで固定する。垣網５１の他端（岸側端）は浮子及び沈子を介して海底に固定する。
【０００５】
上記した構成により、海流に乗って回遊して来た魚１０が垣網５１に進路を遮られ、一部の魚１０が端口５５の方向に誘導される。即ち、等深線に沿って移動してきた魚１０は垣網５１に遭遇すると、種々の方向に進路を変更する。網目を通過する魚、端口５５方向に進む魚、沿岸方向に進む魚、元の方向に引き返す魚がおり、必ずしも大半の魚が端口方向に進む訳ではない。しかし、障害物に出会った魚は勾配が急であれば（等深線が密集している所では）遊泳層より深いところ（深み）、暗いところに沈降する傾向があることが実験的に認められている。そして、ここでは、端口５５方向に進む魚の挙動のみが重要である。
【０００６】
端口５５の側面に障子網５６ａ、障子網５６ｂが設けられている。垣網５１によって誘導された魚１０は端口５５を通って囲網５２の内部に進入する。その一部は運動場５２ａの内部で遊泳し、外部に逃げて行くが、他の一部は登網部５２ｂを登って、箱網５３、５４へ進入する。箱網５３（５４）への入口は狭められ、かつ、段差が設けられているため、箱網５３（５４）に入った魚類は簡単に端口５５に戻れない。なお、この定置網５０では箱網５３，５４が２段に設けられている。更に、奥に小舟５６が設けられている。
【０００７】
さらに、端口５５方向に進む魚であっても、垣網５１に対する魚（又は魚群）の行動は一様ではなく魚種によって異なる。また、垣網５１の材料と目合、垣網５１の姿勢と角度、魚の成群状態、周りの明るさなどにも影響される。例えば、ブリの場合を１例にとると、ブリは３０ｍ位の水深の層から垣網５１に接近し、その後に垣網５１から１０ｍ位離れて垣網５１に沿って泳ぐと言われている。また、黒鮪では昼間は１０〜１５ｍ離れるが夜間では５〜６ｍ位まで接近して泳ぐと言われている（非特許文献１）。
【０００８】
一方、日本海沿岸に来遊するエチゼンクラゲは巨大であって、成長したエチゼンクラゲの大きなものは、傘の直径が１００ｃｍ以上にもなり、正常な個体では糸状付属器の長さは傘径の３〜５倍にもなる。重量も２００ｋｇにもなる。日本海沿岸に来遊するエチゼンクラゲは遊泳力が弱く、海流（潮流も含む）の流れのエネルギーに逆らって自由に移動することはできない。従って、巨大なエチゼンクラゲが垣網５１に遭遇すると、ほぼ垣網５１に接触する程度に近接した状態で垣網５１に沿って垣網５１の終端まで移動し、囲網５２の内部に進入し、箱網５３，５４に進入する。その結果、漁具の破損、操業効率の低下、クラゲの触手による漁体の損傷（商品価値の低下）等の被害が生じる。
【０００９】
エチゼンクラゲの定置網への入網を防止する有効な手段は現在の所、まだ開発中である。提案された方法としては非特許文献５に開示されているものがある。この垣網は垣網部の下側に目合の大きい「捨て網部」を設けてエチゼンクラゲを通過させる仕組みになっている。具体的な実施例では、垣網部は海面から４１．５ｍの深さまで目合いが４５ｃｍの網を使用し、捨て網部は垣網部の下部から海底（５５．５ｍの深さ）まで目合いが１５０ｃｍの網を使用している。また、設置方法は、海面から海底に向けて潮流に対して下流方向に斜めになるように張り立てる。移動してきたエチゼンクラゲは垣網の垣網部に遭遇すると垣網部に沿って海底方向に潜り込み、捨て網部から抜けて下流に向けて移動する。試験結果では魚類を逃がすことなくエチゼンクラゲだけを通過させることができたと報告している。
【非特許文献５】島根県水産試験所ＨＰ、とびっくす（トビウオ通信号外）第７号、２−（２）定置網、平成１８年３月３０日発行
【００１０】
また、魚場によっては海流又は潮流の流れは変化する。即ち、暖流や寒流の他に潮汐による海面昇降を考えると海流（潮流も含む）の流れ方向は変化する。潮汐は地球と月や太陽の引力に依って誘起され、太陽・地球・月の位置関係によって潮汐の大きさや潮流の強さが変化する。特に、日本海は対馬海峡、関門海峡及び津軽海峡を通して太平洋と接しているために、日本海側の潮汐規模、潮汐時間が太平洋側の潮汐規模、潮汐時間と異なるために潮汐によって海流の流れ方向が変化する。海流の流れ方向の変化は頻繁に起こるものではなく、一日に数回程度である。しかし、海流の流れ方向（向き）が変化した場合にも有効に機能するように考慮しなければならない。
【発明の開示】
【発明が解決しようとする課題】
【００１１】
本願発明はこのような状況下でなされたものであり、比較的簡単な改良によってエチゼンクラゲ等の巨大クラゲの入網を排除し、魚を有効に捕獲すると共に海流の流れ方向が変化しても有効な定置網を提供することを課題としている。
【課題を解決するための手段】
【００１２】
本願発明は、上記課題を解決するために以下の構成を採用している。即ち、
海流又は潮流が流れている漁場に設置される定置網において、垣網の上流側から垣網に沿って囲網の端口方向に向かって移動してきた巨大クラゲが該垣網の終端を廻って反対向き、かつ、下流方向に移動するように、前記垣網の終端の回りに、水平断面が略Ｕ字形状で、該略Ｕ字形状の開口部分が前記垣網の終端を囲むように構成したガイド網を設けたことを特徴としている。
【００１３】
請求項２に記載の発明は、請求項１に記載の発明において、前記垣網の終端は、前記端口における囲網の両端を結ぶ直線上又は囲網の内側に位置するように設けたことを特徴としている。
【００１４】
請求項３に記載の発明は、請求項１又は請求項２に記載の発明において、前記略Ｕ字形状の湾曲部は半径が１ｍ〜３ｍの円弧、又は、該円弧に外接する折れ線で構成したことを特徴としている。
【００１５】
請求項４に記載の発明は、請求項１〜請求項３に記載の発明において、前記囲網の端口が両端口の場合は、海流又は潮流の下流側のガイド網の解放端を、該解放端から下流方向に移動する巨大クラゲが下流側端口から前記囲網内部に入網しないように、前記下流側端口から離れた位置に配置する構成としたことを特徴としている。
【００１６】
請求項５に記載の発明は、請求項１〜請求項４に記載の発明において、前記囲網の端口が片端口の場合は、海流又は潮流の下流側のガイド網を前記囲網と連結した構成としたことを特徴としている。
【００１７】
請求項６に記載の発明は、請求項１〜請求項３に記載の発明において、海流又は潮流の流れの向きが周期的に変わる場合は、前記囲網の端口は両端口とし、前記ガイド網の解放端側から出て下流方向に移動する巨大クラゲが両端口の何れの端口からも前記囲網内部に入網しないように該ガイド網の各端を各端口から離れた位置に配置する構成としたことを特徴としている。
【００１８】
請求項７に記載の発明は、請求項６に記載の発明において、前記垣網の終端を前記両端口における囲網の両端を結ぶ直線よりも岸側に配置して、前記ガイド網を構成したことを特徴としている。
【００１９】
請求項８に記載の発明は、請求項６又は請求項７に記載の発明において、囲網が両端口の場合に、流れの上流側端口から囲網内に入網した巨大クラゲが反対側の端口から出て下流方向に移動するように障子網の自由端を囲網の内部の奥まで配置し、かつ、該障子網が奥に向かって相互に近接するように傾斜させて配置したことを特徴としている。
【００２０】
請求項９に記載の発明は、請求項１〜請求項８に記載の発明において、前記ガイド網は前記垣網と同じ網材、同じ網目サイズとしたことを特徴としている。
【発明の効果】
【００２１】
簡易な改良により、巨大クラゲの入網を排除し、魚を有効に捕獲すると共に海流の向きが周期的に変化しても有効に機能するという効果が得られる。
【発明を実施するための最良の形態】
【００２２】
＜実施形態１＞
図１は本願発明の実施形態１の要部概略図を示す。実施形態１は海流（潮流も含めて海水の流れる方向を言う。以下同じ）の流れ方向の変化が小さく、平均的な流れ方向（平均流量が最大の方向、向き）に対して流れ方向の変化が両方向に４５度以下の場合で、両端口を採用した場合の例である。以下、従来の定置網（図６、図７）と同じ構成要素については同じ引用番号を付して詳細な説明は省略する。図１において、海流の平均的な流れ方向を実線の矢印で示す。垣網５１は囲網５２の近くでは、海流の平均的な流れ方向と略直交する角度で配設され、垣網５１の終端Ｅは端口５５ａ、５５ｂにおける囲網５２と障子網５６の交点を角点Ａ、Ｂとし、角点Ａ、Ｂを結ぶ直線上（実際には、囲網の角点Ａ、Ｂは深さがあるので、角点Ａ、Ｂを結んだものは平面となる。）又は囲網５２の内側に配置される。
【００２３】
ガイド網１１は垣網５１の終端Ｅを中心として巨大クラゲが方向転換するための湾曲部１１ａ（例えば、半径１〜３ｍの円弧で形成する。）と上流側の直線部１１ｂ、及び下流側の直線部１１ｃから構成される。湾曲部１１ａの半径は巨大クラゲの大きさによって決定する。例えば、巨大クラゲの傘の大きさが最大で１ｍ位であれば湾曲部１１ａの半径は１．５ｍ〜２ｍとする。また、直線部１１ｂは垣網５１と略平行に構成し、直線部１１ｂの端点１２は巨大クラゲが直線部１１ｂと障子網５６ａの間から進入しないように直線部１１ｂを短くするか、又は、直線部１１ｂはゼロにしてもよい。一方、直線部１１ｃは岸方向に向けて広がるように下向きに傾けて敷設する。また、直線部１１ｃの解放端１３は、そこから解放されて下流方向に移動する巨大クラゲ９が下流側の端口５５ｂから囲網５２内部に進入しない所まで延長する。なお、湾曲部１１ａは円弧に限られない。以下の実施形態においても同様である。
【００２４】
図２は湾曲部１１ａを折れ線４１（直線４１ａ、４１ｂからなる折れ線）で構成し、ガイド網の固定を容易にした実施例を示す。４１ａ、４１ｂは円弧１１ａに外接する直線である。図２で実線は網を上から見た線で、点線は網を固定するためのロープを示す。ガイド網１１は折れ線（１２、１４、１６，１５、１３）として構成されている。固定用のロープには浮子が取り付けられるが、浮子は図示を省略している。２０は海底に固定するための重り（沈子）を示す。小黒丸印はロープ同士の結び点を示す。垣網１１の終端Ｅは端口の両端の角点Ａ、Ｂ間に張られたロープ６４及び終端Ｅと囲網５２の反対側との間に張られたロープ６５によって固定されている。ロープ６４、ロープ６５を利用してガイド網１１を固定する方法について以下に説明する。
【００２５】
ガイド網１１の出入口の端点１２、１３は浮子により海面に浮いたロープ３５によって結ばれ、ロープ３５の中点Ｃは垣網５１のロープ６１に結ばれて固定されている。端点１２はロープ３５、１７によって垣網５１のロープ６１、６４に固定され、端点１３はロープ３５及び浮子１３ａと沈子２０によって海底に固定されている。なお、端点１３は垣網５１のロープ６１とロープ６４又は囲網５２のロープ（図示省略）を結ぶロープ（図示省略）を張り、その中間に端点１３を結んで固定してもよい。ガイド網１１の中点１６はロープ６５に固定されている。また、ガイド網１１の中間の角点１４、１５はロープ６４とロープ６５を結んだロープ１８、ロープ１９によって各々固定されている。以上のように、ガイド網１１はロープ６４、ロープ６５を利用して容易に固定することができる。また、ガイド網１１によって巨大クラゲが上流側から下流側に抜ける通路が確保されている。
【００２６】
実施形態１は以上に述べたように構成したので以下のように作用する。海流の流れ方向の変化が小さい場合又はほぼ一定の流れ方向、一定の流れ向きに流れている場合には、巨大クラゲ９は海流のエネルギーに逆らって自由に上流方向に移動できないので、上流側から垣網５１に接近し、垣網５１に沿って近接した状態で端口５５ａ方向に移動する。垣網５１の終端Ｅに達した巨大クラゲ９は湾曲部１１ａ（又は折れ線部４１ａ、４１ｂ）で岸方向に向きを変えて岸方向に移動を開始する。直線部１１ｃの端１３に達した巨大クラゲ９は、そこから解放されて下流方向に移動する。この際、巨大クラゲ９が下流側の端口５５ｂから囲網５２内部に進入できない位置にガイド網１１の端１３が配置されているので、そのまま下流方向に移動する。
【００２７】
一方、等高線に沿って移動してきた魚１０は垣網５１に遭遇すると、魚の一部は垣網５１から５ｍ〜１５ｍ程度離れて、垣網５１に沿って端口５５（５５ａ又は５５ｂ）方向に移動する。端口５５の幅は広く設けられているので、端口５５方向に移動した魚１０の大部分は囲網５２の内部に進入する。端口５５の幅は、例えば、端口５５ａが２５ｍ、端口５５ｂが２０ｍである。囲網５２の内部に進入した魚１０は従来の定置網の場合と同じように挙動し、箱網５３，５４の内部に進入する。
以上の説明から明らかなように、海流の流れ方向の変化が小さい場合は上記の構成による定置網で巨大クラゲ９のみを排除して魚１０を箱網５３，５４の内部に進入させることができる。
【００２８】
＜実施形態２＞
図３は本願発明の実施形態２の要部概略図を示す。実施形態２は海流の流れ方向が大きく変化する場合である。このような場合としては、例えば、潮汐の関係で、朝夕の海流の流れ方向が逆方向（逆向き）に周期的に変化するケースである。図３はこのような場合に対応する定置網で、一般的には両端口５５ａ、５５ｂの定置網が使用される。一般に、海流の流れ方向は、台風や地震による津波、河川からの大きな流入水の等の異常事態を除けばあまり大きく変化しない。潮汐による流れ方向の変化は、海水の流れる方向が水平方向に１８０度（又は３６０度）連続的に変化するのではなく、ある方向に流れる海水の流量が正から負へ、負から正へ変化して海水の流れる向きが変化すると考えられる。図３の実線矢印の方向と点線矢印の方向に海流の流れが周期的に変化する場合の巨大クラゲ９の入網を排除する定置網を示す。
【００２９】
図３において、垣網５１の終端Ｆを角点Ａ、Ｂを結ぶ直線上よりも岸方向（図の左方向）に偏位させて設ける。これはガイド網２１の長さ（垣網５１と平行な距離）を短くして巨大クラゲ９の解放のための移動を円滑にするためである。次に、ガイド網２１は湾曲部２１ａ、（図３の上流側の）直線部２１ｂ、及び（下流側の）直線部２１ｃから構成する。湾曲部２１は終端Ｆを中心とした半径１ｍ〜３ｍの円弧に形成する。直線部２１ｃは、海流が実線の矢印方向の場合にガイド網２１に進入した巨大クラゲが円滑に下流方向に向かって移動できるように岸方向に向けて広がるように傾斜を設ける。又、解放端２３はそこから解放された巨大クラゲが端口５５ｂから囲網５２の内部に進入しない所まで岸方向に延長する。また、直線部２１ｂは、海流が点線の矢印方向の場合にガイド網２１に進入した巨大クラゲが円滑に下流方向に向かって移動できるように、直線部２１ｃと同様に構成する。即ち、岸方向に向けて広がるように傾斜を設け、又、解放端２２はそこから解放された巨大クラゲが端口５５ａから囲網５２の内部に進入しない所まで延長する。
【００３０】
垣網５１の終端Ｆ、直線部２１ｂの解放端２２及び直線部２１ｃの解放端２３を、実施形態１の場合よりも岸方向に移動したために、上流から移動してきた巨大クラゲ９が端口５５ａ（又は端口５５ｂ）と直線部２１ｂ（又は、直線部２１ｃ）の間から直接に囲網５２内部に進入する可能性が大きくなる。この可能性を小さくするために、障子網５７ａ及び障子網５７ｂの長さを実施形態１の場合（５６ａ、５６ｂ）よりも長くし、かつ、囲網５２内部に進むに従って端口５５（５５ａ、５５ｂ）の幅が狭くなるように傾斜させる。これによって、一方の端口（例えば、５５ａ）から入網した巨大クラゲは他方の端口（例えば、５５ｂ）から出て、海流に乗って下流方向に移動する。
【００３１】
図４は図３の湾曲部２１ａを折れ線４２（直線４２ａ、４２ｂ）で構成し、ガイド網の固定を容易にした実施例を示す。４２ａ、４２ｂは円弧２１ａに外接する直線である。ガイド網２１は折れ線（２２，２４，２６、２５，２３）で示されており、この場合の固定方法は図２の場合とほぼ同じである。図２の場合と異なる点は、垣網５１の終端Ｆを囲網５２の角点Ａ，Ｂを結んだ線分６４よりも岸方向に距離ｅだけ移動させた点と、それに伴って、折れ線部（４２ａ、４２ｂ）を岸方向に移動させた点と、ガイド網２１の直線部２１ｂの端点２２を岸方向に移動して，直線部２１ｃと同じ長さとし、かつ、直線部２１ｂと垣網５１の間の狭角を大きくした点である。即ち、直線部２１ｂは直線部２１ｃと垣網５１に対して対象に配置し、構成した点である。なお、障子網５７ａ、５７ｂはガイド網２１の直線部２１ｂ、２１ｃとほぼ並行になるように傾斜させている。
【００３２】
ガイド網２１の固定は実施形態１の場合と同様にロープ６４、ロープ６５を利用する。まず、ガイド網２１の端点２２，２３をロープ３１で結び、その中間点Ｄを垣網５１のロープ６１に結んで固定する。また、端点２２は浮子２２ａ、沈子２０により海底に固定し、端点２３も浮子２３ａ、沈子２０により海底に固定する。ガイド網２１の角点２４，２５はロープ６４とロープ６５を結んだロープ３２、３３によって固定する。なお、ガイド網２１の端点２２，２３の固定は、垣網５１のロープ６１とロープ６４とを結ぶロープ（図示省略）を張り、その中間に固定してもよい。
【００３３】
実施形態２は以上のように構成したので、以下のように機能する。海流の流れの向きが変化した場合においても、上流側から垣網５１に接近し、垣網５１に沿って近接した状態で端口５５ａ又は５５ｂ方向に移動してきた巨大クラゲ９をガイド網２１により円滑に下流方向に移動させ、囲網５２の内部への進入を防止する。また、端口５５ａ又は５５ｂから直接囲網５２の内部に進入した巨大クラゲは障子網５７ａ、５７ｂによって囲網５２の外部に移動させる。この結果、海流の流れ方向の向きが交互に逆向きに変化する場合でも、上記の構成による定置網で巨大クラゲ９を排除して魚１０のみを箱網５３，５４の内部に進入させることができる。
【００３４】
＜実施形態３＞
図５は本願発明の実施形態３の要部概略図を示す。実施形態３は片端口を採用した場合である。このような場合としては、海流の流れ方向が大きく変化せず、また、潮汐の関係で海流の流れ向きが逆方向（逆向き）にも変化しない場合である。垣網５１に対して上流方向は一定であり、垣網５１の下流方向から囲網５２の内部に入網する魚を考えなくてもよい場合である。図３に示すように、下流側の囲網５２を上流方向に延長して、ガイド網３１と囲網５２の交点を連結し、連結点をＢとする。この場合は、垣網５１の終端Ｇを、上流側の端口５５ａにおける囲網５２と障子網５８の角点Ａと連結点Ｂを結ぶ直線上又は囲網５２の内部に配置する。なお、実施形態３では下流側の障子網は省略する。
【００３５】
この場合も実施形態１、２と同様に、ガイド網３１は、垣網５１の終端Ｇを中心とする半径１ｍ〜３ｍの湾曲部３１ａと上流側直線部３１ｂ、下流側直線部３１ｃで構成する。なお、実施形態３では、下流側直線部３１ｃは長さをゼロとし（省略し）、上流側直線部３１ｂも長さをほぼゼロにしてもよい。実施形態３の場合も、ガイド網３１は湾曲部を外接する直線で構成し、固定を容易にする。具体的な固定方法は、実施形態１、実施形態２の場合とほぼ同様であるので説明を省略する。
【００３６】
実施形態３は以上のように構成したので以下のように機能する。巨大クラゲ９は、海流のエネルギーによって、上流側から垣網５１に接近し、垣網５１に沿って近接した状態で端口５５方向に移動する。端口５５方向に移動してきた巨大クラゲ９はガイド３１により円滑に下流方向に解放される。従って、巨大クラゲ９の囲網５２の内部への進入は防止される。一方、垣網５１に接近してきた魚１０は垣網５１から５ｍ〜１５ｍ程度離れて、垣網５１に沿って端口５５方向に移動する。端口５５の幅は広く設けられている（例えば、２５ｍ〜３０ｍ）ので、端口５５方向に移動した魚の大部分は囲網５２の内部に進入する。従って、巨大クラゲ９を排除して魚１０のみを捕獲することができる。
【００３７】
実施形態１〜実施形態３で述べてきたように、従来型の定置網に簡単な改良を加えるだけでエチゼンクラゲのような巨大クラゲ９の定置網内部への入網を防止して、魚１０のみを捕獲可能にできる。
【図面の簡単な説明】
【００３８】
【図１】本願発明の実施形態１の要部の概略平面図である。
【図２】本願発明の実施形態１のガイド網の固定方法を示す。
【図３】本願発明の実施形態２の要部の概略平面図である。
【図４】本願発明の実施形態２のガイド網の固定方法を示す。
【図５】本願発明の実施形態３の要部の概略平面図である。
【図６】従来の定置網の立体図を示す。
【図７】（Ａ）従来の定置網の平面図を示し、（Ｂ）側面断面図を示す。
【符号の説明】
【００３９】
９                        エチゼンクラゲ（巨大クラゲ）
１０                      魚
１１、１２、１３          ガイド網
１１ａ、２１ａ、３１ａ  ガイド網の湾曲部
１２，１３，２２，２３    ガイド網の端部
２０                      沈子
５１                      垣網
５２                      囲網
５５                      片端口
５５ａ、５５ｂ            両端口
５６ａ、５６ｂ、５７ａ、５７ｂ、５６    障子網
Ａ、Ｂ                    囲網と障子網の角点
Ｅ、Ｆ、Ｇ                垣網の終端
【図１】
2009297000.tif 000003
【図２】
2009297000.tif 000004
【図３】
2009297000.tif 000005
【図４】
2009297000.tif 000006
【図５】
2009297000.tif 000007
【図６】
2009297000.tif 000008
【図７】
2009297000.tif 000009